(57)【要約】  一実施形態においては、パケット・モバイル・ネットワークにおけるデータ送信をサポートするための方法が、ユーザ機器ＵＥと、外部パケット・データ・ネットワークＰＤＮとの間の前記パケット・モバイル・ネットワーク上のＰＤＮ接続性のために、提供されており、パケット・モバイル・ネットワークは、無線アクセス・ネットワークＲＡＮによってアクセスされるコア・ネットワークＣＮを備えており、データ送信は、サービングＲＡＮノードと、サービング・ユーザ・プレーンＣＮノードとの間のインターフェース上のトンネルを使用しており、当該方法は、コネクションレス型送信モードと称されるモードにおけるデータ送信のサポートを含んでおり、そこでは、インターフェース上のトンネルは、接続ＩＤ情報と称される情報を使用してあらかじめ定義および識別され、ＰＤＮに対して、およびサービング・ユーザ・プレーンＣＮノードに対して参照を提供する。
2015526960.tif 000002
【特許請求の範囲】
【請求項１】
パケット・モバイル・ネットワークにおけるデータ送信をサポートするための方法であって、
ユーザ機器ＵＥと外部パケット・データ・ネットワークＰＤＮとの間の前記パケット・モバイル・ネットワーク上のＰＤＮ接続性のためのものであり、
前記パケット・モバイル・ネットワークは、無線アクセス・ネットワークＲＡＮによってアクセスされるコア・ネットワークＣＮを備えており、
前記データ送信は、サービングＲＡＮノードと、サービング・ユーザ・プレーンＣＮノードとの間のインターフェース上のトンネルを使用しており、
前記方法は、
コネクションレス型送信モードと称されるモードにおける前記データ送信のサポートを含んでおり、
前記インターフェース上の前記トンネルは、接続ＩＤ情報と称される情報を使用してあらかじめ定義および識別され、前記ＰＤＮに対して、および前記サービング・ユーザ・プレーンＣＮノードに対して参照を提供する、方法。
【請求項２】
前記接続ＩＤ情報は、前記サービングＲＡＮノードが、前記ユーザ・プレーンＣＮノードとの余分な先行するシグナリング・インタラクションの必要なしに、前記サービング・ユーザ・プレーンＣＮノードのＩＰアドレス情報と、アップリンク・トンネル・エンドポイント識別子ＴＥＩＤ情報とを導き出すことを可能にする、請求項１に記載の方法。
【請求項３】
ＰＤＮ接続性のセットアップにおいて、前記ＰＤＮ接続性のために、前記コネクションレス型送信モードで動作すべきかどうかを決定するステップを含む、請求項１または２に記載の方法。
【請求項４】
コネクションレス型送信モードにおけるＰＤＮ接続性の確立において、または前記ＰＤＮ接続性についてのトラッキング・エリア更新／ルーティング・エリア更新において、前記ＵＥに対してＮＡＳ信号を経由して前記接続ＩＤ情報を提供するステップを含む、請求項１乃至３のいずれか１項に記載の方法。
【請求項５】
コネクションレス型送信モードにおけるＰＤＮ接続性の確立において、または前記ＰＤＮ接続性についてのトラッキング・エリア更新／ルーティング・エリア更新において、特定のトラッキング／ルーティング・エリア、またはトラッキング／ルーティング・エリアの組について有効なセキュリティ・データを前記ＵＥに提供するステップを含む、請求項１乃至４のいずれか１項に記載の方法。
【請求項６】
前記コネクションレス型送信モードにおいて、セキュリティ・データは、前記サービングＲＡＮノードにおいて提供される、請求項１乃至５のいずれか１項に記載の方法。
【請求項７】
前記コネクションレス型送信モードにおいて、前記ＵＥが、前記接続ＩＤ情報を用いて前記サービングＲＡＮノードに対してアップリンク・パケットを送信するステップを含む、請求項１乃至６のいずれか１項に記載の方法。
【請求項８】
前記コネクションレス型送信モードにおいて、前記接続ＩＤ情報を有するアップリンク・パケットを受信したとき、前記サービングＲＡＮノードが、アップリンク・トラフィックについての適切なトンネル・エンドポイント識別子ＴＥＩＤ情報と、前記サービング・ユーザ・プレーンＣＮノードの適切なＩＰアドレス情報とを選択するステップを含む、請求項１乃至７のいずれか１項に記載の方法。
【請求項９】
前記コネクションレス型送信モードにおいて、アクティブなコネクションレス型データ送信に従事するときに、前記ＵＥが、セル変更について前記パケット・モバイル・ネットワークに通知するステップを含む、請求項１乃至８のいずれか１項に記載の方法。
【請求項１０】
前記コネクションレス型送信モードにおいて、前記ＵＥが、コネクションレス型アイドル・タイマを保持するステップを含み、前記アイドル・タイマは、アップリンク・パケットの前記送信によってリセットされる、請求項１乃至９のいずれか１項に記載の方法。
【請求項１１】
前記コネクションレス型送信モードにおいて、ＵＥにおいて保持されるコネクションレス型アイドル・タイマが実行している間に、前記ＵＥが、前記パケット・モバイル・ネットワークに対して、セルの更新をシグナリングするステップを含む、請求項１乃至１０のいずれか１項に記載の方法。
【請求項１２】
前記コネクションレス型送信モードにおいて、前記ＵＥについてのセル変更情報を受信したとき、新しいサービングＲＡＮノードが、前記ＵＥを突き止めるために必要な情報を含む前記セル変更情報を、前記サービング・ユーザ・プレーンＣＮノードに対して伝搬させるステップを含む、請求項１乃至１１のいずれか１項に記載の方法。
【請求項１３】
前記コネクションレス型送信モードにおいて、前記サービング・ユーザ・プレーンＣＮノードが、ＵＥコンテキストにおいて、前記ＵＥに現在サービス提供している前記サービングＲＡＮノードのアドレス情報を記録するステップを含む、請求項１乃至１２のいずれか１項に記載の方法。
【請求項１４】
前記コネクションレス型送信モードにおいて、前記サービング・ユーザ・プレーンＣＮノードが、コネクションレス型アイドル・タイマを保持するステップを含んでおり、前記アイドル・タイマは、アップリンク・パケットの前記受信によってリセットされる、請求項１乃至１３のいずれか１項に記載の方法。
【請求項１５】
前記コネクションレス型送信モードにおいて、ダウンリンク・パケットを受信したとき、前記サービング・ユーザ・プレーンＣＮノードにおいて保持されるコネクションレス型アイドル・タイマが満了していない場合に、前記サービング・ユーザ・プレーンＣＮノードが、前記ＵＥに現在サービス提供している前記サービングＲＡＮノードに対して前記ダウンリンク・パケットを送信するステップを含む、請求項１乃至１４のいずれか１項に記載の方法。
【請求項１６】
前記コネクションレス型送信モードにおいて、ダウンリンク・パケットを受信したとき、前記サービング・ユーザ・プレーンＣＮノードにおいて保持されるコネクションレス型アイドル・タイマが満了している場合に、前記サービング・ユーザ・プレーンＣＮノードが、ページング・メッセージの中の前記ＵＥについてのコネクションレス型表示を含むコネクションレス型ページング・プロシージャを呼び出すステップを含む、請求項１乃至１５のいずれか１項に記載の方法。
【請求項１７】
前記コネクションレス型送信モードにおいて、コネクションレス型ページング・プロシージャを受信したとき、前記ＵＥは、前記接続ＩＤ情報を用いて、前記パケット・モバイル・ネットワークに対してセル更新を信号で伝えるステップを含む、請求項１乃至１６のいずれか１項に記載の方法。
【請求項１８】
前記コネクションレス型送信モードにおいて、ダウンリンク・パケットを受信したとき、前記ユーザ・プレーンＣＮサービング・ノードにおいて保持されるコネクションレス型アイドル・タイマが満了している場合に、前記サービング・ユーザ・プレーンＣＮノードが、前記接続ＩＤ情報と、ＵＥ識別情報とを用いて、そのＵＥコンテキストの中に記録される前記ＲＡＮノードに対してダウンリンク・パケットを転送するステップを含む、請求項１乃至１７のいずれか１項に記載の方法。
【請求項１９】
前記コネクションレス型送信モードにおいて、接続ＩＤ情報と、ＵＥ識別情報とを有するダウンリンク・パケットを受信したとき、ＲＡＮノードが前記パケットを配信することができない場合に、前記ＲＡＮノードが、サービング制御プレーンＣＮノードを経由して前記ＵＥにページングするように前記サービング・ユーザ・プレーンＣＮノードに要求するステップを含む、請求項１乃至１８のいずれか１項に記載の方法。
【請求項２０】
前記コネクションレス型送信モードにおいて、ＵＥと、サービングＲＡＮノードとの間の前記無線インターフェース上の論理的トラフィック・チャネルが、前記ＰＤＮ接続性のためにあらかじめ定義される、請求項１乃至１９のいずれか１項に記載の方法。
【請求項２１】
前記データ送信は、前記サービング・ユーザ・プレーンＣＮノードと、前記ＰＤＮとインターフェースするサービングＣＮノードとの間の、第２のインターフェースと称されるインターフェース上のトンネルを使用しており、また前記サービング・ユーザ・プレーンＣＮノードの中のＵＥ／ベアラ・コンテキスト情報は、第１のインターフェースと称される、前記サービングＲＡＮノードを有する前記インターフェース上でアップリンク・パケットを送信するために使用されるトンネル・エンドポイント識別子ＴＥＩＤを、前記第２のインターフェース上のベアラに関連づける、請求項１乃至２０のいずれか１項に記載の方法。
【請求項２２】
パケット・モバイル・ネットワークにおけるデータ送信をサポートするための方法であって、ユーザ機器ＵＥと外部パケット・データ・ネットワークＰＤＮとの間の前記パケット・モバイル・ネットワーク上のＰＤＮ接続性のためのものであり、前記データ送信は、前記ＵＥと前記パケット・モバイル・ネットワークとの間の無線インターフェース上の論理的トラフィック・チャネルを使用しており、前記方法は、コネクションレス型送信モードと称されるモードにおける前記データ送信のサポートを含んでおり、前記論理的トラフィック・チャネルは、前記ＰＤＮ接続性についてあらかじめ定義される、方法。
【請求項２３】
ユーザ機器に関連した請求項１乃至２２のいずれか１項に記載の方法の少なくとも１つのステップを実行するように構成された、ユーザ機器ＵＥ。
【請求項２４】
ＲＡＮノードに関連した請求項１乃至２２のいずれか１項に記載の方法の少なくとも１つのステップを実行するように構成された、Ｅ−ＵＴＲＡＮについてのｅノードＢやＵＴＲＡＮについてのＲＮＣなどの、ＲＡＮノード。
【請求項２５】
ユーザ・プレーンＣＮノードに関連した請求項１乃至２２のいずれか１項に記載の方法の少なくとも１つのステップを実行するように構成された、進化型パケット・コアＥＰＣについてのサービング・ゲートウェイＳＧＷやＵＭＴＳコア・ネットワークについてのサービングＧＰＲＳサポート・ノードＳＧＳＮなど、ＲＡＮノードとインターフェースする、ユーザ・プレーンＣＮノード。
【発明の詳細な説明】
【技術分野】
【０００１】
本発明は、一般にモバイル通信のネットワークおよびシステムに関する。
【背景技術】
【０００２】
モバイル通信のネットワークおよびシステムの詳細な説明は、とりわけ、例えば、３ＧＰＰ（第３世代パートナーシップ・プロジェクト）などの標準化機関によって公開される技術仕様においてなど、文献の中で見出され得る。
【０００３】
パケット・モバイル通信システムの例は、ＥＰＳ（進化型パケット・システム（Ｅｖｏｌｖｅｄ  Ｐａｃｋｅｔ  Ｓｙｓｔｅｍ））、ＧＰＲＳ／ＵＭＴＳ、．．．などを含んでいる。
【０００４】
例えば、ＥＰＳネットワークは、Ｅ−ＵＴＲＡＮと呼ばれる無線アクセス・ネットワークＲＡＮによってアクセスされ得るＥＰＣ（進化型パケット・コア（Ｅｖｏｌｖｅｄ  Ｐａｃｋｅｔ  Ｃｏｒｅ））と呼ばれるコア・ネットワークを備えている。ＥＰＳネットワークのアーキテクチャの一例は、主要なネットワーク・ノードと、ネットワーク・ノードの間のインターフェースとを示す図１（３ＧＰＰ  ＴＳ  ２３．４０１から引用）の中で想起される。
【０００５】
ＰＤＮ接続（ＩＰ接続など）を、ＥＰＳネットワーク上で、ユーザ機器ＵＥと外部のパケット・データ・ネットワークＰＤＮ（ＩＰネットワークなど）との間で確立することができる。ＥＰＳネットワークの中のＰＤＮ接続のためのトラフィックが、ベアラ（またはネットワーク上の、またネットワークの異なるインターフェース上のすべての前記トラフィックのための割り付けられたネットワーク・リソース）の概念に基づいてサポートされる。ネットワークの異なるインターフェース、及びネットワークの異なるノードの中の関連するコンテキスト上のそのようなベアラを管理するために、プロシージャが規定される。ＥＰＳ、例えば、ＧＰＲＳ／ＵＭＴＳ以外のシステムにおいては、類似した概念が存在している。
【０００６】
本発明者等によって理解され、また後により詳細に説明されることになるように、そのようなプロシージャによって生成される信号と、ネットワーク・ノードにおける関連するコンテキストの量とを、とりわけ、例えば、マシン・タイプ通信ＭＴＣ（Ｍａｃｈｉｎｅ  Ｔｙｐｅ  Ｃｏｍｍｕｎｉｃａｔｉｏｎ）（マシン・ツー・マシンＭ２Ｍ（Ｍａｃｈｉｎｅ−ｔｏ−Ｍａｃｈｉｎｅ）とも呼ばれる）など、新しいタイプの通信のために、低減させる必要がある。より一般的には、ネットワークとシステムとの改善が、例えば、ＭＴＣなど、新しいタイプの通信の特定の性質に起因して必要とされる。
【先行技術文献】
【非特許文献】
【０００７】
【非特許文献１】３ＧＰＰ  ＴＳ  ２３．４０１
【非特許文献２】３ＧＰＰ  ＴＳ  ２９．２８１
【非特許文献３】３ＧＰＰ  ＴＳ  ２５．４１３
【非特許文献４】３ＧＰＰ  ＴＳ  ２９．０６０
【非特許文献５】３ＧＰＰ  ＴＳ  ２９．２７４
【発明の概要】
【発明が解決しようとする課題】
【０００８】
本発明の実施形態は、とりわけ、そのような必要性に対処するものである。
【課題を解決するための手段】
【０００９】
これら本発明の目的および他の目的は、一態様においては、パケット・モバイル・ネットワークにおけるデータ送信をサポートするための方法によって、ユーザ機器ＵＥと、外部パケット・データ・ネットワークＰＤＮとの間の前記パケット・モバイル・ネットワーク上のＰＤＮ接続性のために達成され、前記パケット・モバイル・ネットワークは、無線アクセス・ネットワークＲＡＮによってアクセスされるコア・ネットワークＣＮを備えており、前記データ送信は、サービングＲＡＮノードと、サービング・ユーザ・プレーンＣＮノードとの間のインターフェース上のトンネルを使用しており、前記方法は、コネクションレス型送信モードと称されるモードにおける前記データ送信のサポートを含んでおり、そこでは、前記インターフェース上の前記トンネルは、接続ＩＤ情報と称される情報を使用してあらかじめ定義および識別され、前記ＰＤＮに対して、および前記サービング・ユーザ・プレーンＣＮノードに対して参照を提供する。
【００１０】
これら本発明の目的及び他の目的は、別の態様においては、パケット・モバイル・ネットワークにおけるデータ送信をサポートするための方法によって、ユーザ機器ＵＥと、外部パケット・データ・ネットワークＰＤＮとの間の前記パケット・モバイル・ネットワーク上のＰＤＮ接続性のために、達成され、前記データ送信は、前記ＵＥと、前記パケット・モバイル・ネットワークとの間の無線インターフェース上の論理的トラフィック・チャネルを使用しており、前記方法は、コネクションレス型送信モードと称されるモードにおける前記データ送信のサポートを含んでおり、そこでは前記論理的トラフィック・チャネルは、前記ＰＤＮ接続性のためにあらかじめ定義されている。
【００１１】
これら本発明の目的及び他の目的は、他の態様においては、そのような方法（単数または複数）のそのような関連したステップ（単数または複数）を実行するように構成されたエンティティによって達成され、前記エンティティは、とりわけ（必ずしも排他的ではないが）、ユーザ機器ＵＥと、ＲＡＮノード（Ｅ−ＵＴＲＡＮについてのｅノードＢ（ｅＮｏｄｅＢ）やＵＴＲＡＮについてのＲＮＣなど）などのモバイル・ネットワーク・エンティティとを含んでおり、ユーザ・プレーンＣＮノードは、ＲＡＮノード（ＥＰＣについてのＳＧＷやＧＰＲＳ／ＵＭＴＳ  ＣＮについてのＳＧＳＮなど）とインターフェースしており、制御プレーンＣＮノードは、ＲＡＮノード（ＥＰＣについてのＭＭＥやＵＭＴＳ  ＣＮについてのＳＧＳＮなど）とインターフェースしており、ＣＮノードは、ＰＤＮ（ＥＰＣについてのＰＧＷやＧＰＲＳ／ＵＭＴＳ  ＣＮについてのＧＧＳＮなど）とインターフェースしている。
【００１２】
本発明の実施形態による装置および／または方法のいくつかの実施形態が、次に、例示のみを目的として、また添付図面を参照して、説明される。
【図面の簡単な説明】
【００１３】
【図１】ＥＰＳネットワークについてのアーキテクチャの一例を想起させることを意図している図である。
【図２】ＥＰＳネットワークについてのサービス要求プロシージャを想起させることを意図している図である。
【図３】簡略的に、本発明の一実施形態による、ＥＰＳネットワークの中のコネクションレス型送信モードの一例を示すことを意図している図である。
【図４】簡略的に、本発明の一実施形態による、ＥＰＳネットワークの中でコネクションレス型送信モードにおいて転送するアップリンク・パケットの一例を示すことを意図している図である。
【図５】簡略的に、本発明の一実施形態による、ＥＰＳネットワークの中でコネクションレス型送信モードにおいて転送するダウンリンク・パケットの一例を示すことを意図している図である。
【図６】簡略的に、本発明の一実施形態による、ＥＰＳネットワークの中のコネクションレス型送信モードにおける最適化されていないページング・プロシージャの一例を示すことを意図している図である。
【図７】簡略的に、本発明の一実施形態による、ＥＰＳネットワークの中のコネクションレス型送信モードにおける最適化されたページング・プロシージャの一例を示すことを意図している図である。
【図８】簡略的に、本発明の一実施形態による、ＥＰＳネットワークの中のコネクションレス型送信モードにおける最適化されたページングに失敗した場合のプロシージャの一例を示すことを意図している図である。
【図９】簡略的に、本発明の一実施形態による、ＥＰＳネットワークの中のコネクションレス型送信モードにおいてＰＤＮ接続のセットアップを行うためのプロシージャの一例を示すことを意図している図である。
【図１０】簡略的に、本発明の一実施形態による、ＥＰＳネットワークの中のコネクションレス型送信モードにおいてＰＤＮ接続についてのトラッキング／ルーティング・エリアの更新のためのプロシージャの一例を示すことを意図している図である。
【発明を実施するための形態】
【００１４】
現在のＧＰＲＳ／ＵＭＴＳとＥＰＳとは、任意のユーザ・プレーン・データが交換され得る前に、エア・インターフェース上の少なくとも専用の無線データ・ベアラが、ＵＥとＲＡＮとの間で確立され、また３ＧＰＰ  ＴＳ  ２９．２８１の中で文書化されたＧＴＰ−Ｕプロトコルを使用したＵＥベアラ・トンネルが、無線アクセス・ネットワークと、外部ネットワークに対するゲートウェイとの間で確立されることを仮定している。このベアラは、デバイスが、３ＧＰＰ  ＴＳ  ２３．４０１から得られる図２（ＵＥによってトリガされたサービス要求プロシージャ）において、例えば、ＥＰＳについて想起されるように、ＧＰＲＳ／ＵＭＴＳについてのＲＡＮＡＰ（３ＧＰＰ  ＴＳ  ２５．４１３）およびＧＴＰ−Ｃ  Ｖ１（３ＧＰＰ  ＴＳ  ２９．０６０）、またはＥＰＳについてのＳ１  ＡＰ（３ＧＰＰ  ＴＳ  ３６．４１３）およびＧＴＰ−Ｃ  ｖ２（３ＧＰＰ  ＴＳ  ２９．２７４）の中で文書化された制御プレーン信号を使用してアイドル状態を終了するときに、確立される。また単一のＵＥについて有効であるセキュリティ・データは、セキュリティ保護された通信のためにＲＡＮ（無線アクセス・ネットワーク）に対して提供されて、アイドル状態からアクティブ状態へのあらゆる遷移ごとに確立される必要もある。
【００１５】
少量のデータまたはバースト性モードのデータを送信し、次いで無線リソースを解放するために、ネットワークの中で適用される非アクティビティ・タイマよりも長い間にわたって非アクティブであるアプリケーションでは、総体として、可能性として少量のデータを送信するために多数のアイドル状態からアクティブ状態への遷移があり、例えば、ＭＴＣデバイスは、まれにしか起こらないショート・パケットを送信し、スマートフォンは、キープ・アライブなどの頻繁なスモール・データを生成している。
【００１６】
各々のアイドル状態からアクティブ状態への遷移は、ＳＧＷへと至るユーザ・プレーン接続を再確立する一連の制御プレーン・トランザクションを意味している。多くの場合に、多くの無線インターフェースと、ネットワーキング・トラフィックとが、実際のユーザ・プレーン・メッセージに比べて、これらの制御プレーン・メッセージにおいて浪費される。すなわち、たとえユーザ・プレーンが軽い負荷を受けるだけであるとしても、制御プレーンには重い負担がかかる。
【００１７】
そのような問題に対する可能性のある問題解決手法が、アイドル・タイマを増大させる可能性があり、その結果、デバイスは、より長い間にわたってアクティブ状態に留まることもある（しかし、これは、バッテリ寿命を低下させる可能性があり、また依然としてその問題は、軽減させられるにもかかわらず、非常に多数のデバイスを展開させる場合に、そのまま残る可能性がある）。しかし、これらのデバイスが長期間の接続をアクティブ状態に保持しながら少量のデータを送信する場合、この解決手法は、将来のマシン・ツー・マシン・アプリケーションにおいて使用される可能性のある、多数のデバイスによって生成される信号の総量を低減させることに対しては、実質的に助けともならない。また非常に多くのデバイスが、ノードの中で保持される状態の量を低減させる方法を必要とする。
【００１８】
したがって、デバイスの再アクティブ化の効率を改善する必要があり、すなわち、休止期間の後にデバイスによるデータ送信の再開をサポートするために必要とされるネットワーク・リソースを低減させる必要がある。
【００１９】
一実施形態においては、アイドル状態からアクティブ状態への遷移においてベアラを再確立するために必要とされる信号の低減化を可能にするために、すべてのデバイスによって共用され、また１つのデバイスだけに専用化されない、コネクションレス型モードでデータを送信すべきいくつかの所定のトンネルを規定することが提案される。これは、デバイス毎にこれらのトンネルを保持する必要をなくし、またノードの中の状態を低減させる。これは、両方の方向にパケットを転送するためにどのトンネルを使用すべきかについての情報を保持する必要がある。この情報は、適切に修正された今日の制御プレーン・プロシージャを使用してインストールされる可能性がある。
【００２０】
一実施形態においては、アイドル・モードのＵＥにおけるアップリンク・データ送信およびダウンリンク・データ送信を再開するための信号を大きく低減させるコネクションレス型データ送信モードが、導入される。
【００２１】
一実施形態においては、アイドル状態からアクティブ状態への遷移において、ベアラを確立するために必要とされるシグナリングの低減を可能にするために、以下の原理に沿って、ＵＥと、ＳＧＷとの間のコネクションレス型モードにおいてデータを送信することが提案される。すなわち、
１．  データは、無線インターフェース上で、またＰＤＮ接続セットアップ・タイムにおいてあらかじめ規定されるＳ１−Ｕ／Ｉｕ／Ｓ１２トンネル上で、コネクションレス型モードで送信される。Ｓ１−Ｕ／Ｉｕ／Ｓ１２トンネルは、ＰＤＮを使用してすべてのＵＥによって共用される（共用トンネルの場合において）か、または与えられたＳＧＷの場合に、ＵＥおよびＰＤＮの接続当たりに固有であるかのいずれかとすることができる。これは、各々のアイドル状態からアクティブ状態への遷移ごとにＵＥ当たりのこれらのトンネルを確立する必要をなくし、またノードの中の状態を低減させる。
２．  アップリンク・データを送信するために、ＵＥは、ＳＧＷが、ＰＤＮ接続セットアップ・タイムにおいてＵＥに対して渡している接続ＩＤをＲＡＮに対して渡す必要があり、その結果、ＲＡＮノードは、アップリンク・トラフィックと、適切なＳＧＷ  ＩＰアドレスとについての適切なＴＥＩＤ（すなわち、トンネル・エンドポイント識別子（Ｔｕｎｎｅｌ  Ｅｎｄｐｏｉｎｔ  ＩＤｅｎｔｉｆｉｅｒ））を選択することができるようになる。接続ＩＤにより、ＲＡＮは、ＳＧＷアドレスと、共用されたトンネルがＳ１−Ｕ／Ｉｕ／Ｓ１２上で使用される場合には、アップリンクＴＥＩＤとを導き出すことができるようになる。ＵＥ／ＰＤＮ接続当たりのＴＥＩＤが使用される場合には、接続ＩＤは、ＵＬ  ＴＥＩＤを一意的に識別する情報を渡す必要がある。パケットは、Ｓ１／Ｉｕ／Ｓ１２上のＵＬにおいて送信されるときに、ＳＧＷが使用されるべきＤＬ  ＴＥＩＤを導き出すことができるための情報を含んでいる。ＵＬ  ＴＥＩＤは、ＳＧＷにおいて、ＰＧＷに対してトラフィックを転送するために使用されるように、ＵＥと、Ｓ５／Ｓ８  ＴＥＩＤとを識別する。
３．  コネクションレス型モード・プロシージャは、サービス要求メッセージをＭＭＥ／ＳＧＳＮに対して送信する必要なしに、ＵＥに対する無線リソースの割付け、及びユーザ・データ送信のために無線インターフェース上で規定される。
４．  ＵＥ当たりのセキュリティ状態は、特定のトラッキング／ルーティング・エリアまたはトラッキング／ルーティング・エリアの組について有効なＰＤＮ接続当たりのセキュリティ状態によって置き換えられる。ＵＥは、ＰＤＮ接続セットアップにおいてセキュリティ・データを提供され、またそれは、モビリティ管理プロシージャ中に保持される。セキュリティ・データは、ＲＡＮノードにおいて提供される。これは、ＭＭＥ／ＳＧＳＮがデータを送信する前に、ＲＡＮノードにおいてセキュリティ・データをインストールする必要がないことを意味する。
５．  複数のＰＤＮ接続が、同時にサポートされる可能性がある。コネクションレス型モードと、接続指向の（すなわち、既存の無線およびＳ１／Ｉｕのプロシージャ）モードとを有するＰＤＮ接続が、同時にサポートされる可能性がある。
６．  コネクションレス型モードは、ＥＰＣにおいてＵＴＲＡＮと、Ｅ−ＵＴＲＡＮとに適用可能であり、またＧＰＲＳコアに対して適用可能とすることができる。
７．  ハンドオーバ・プロシージャは、コネクションレス型モードにおいては必ずしも必要であるとは限らない。アクティブなコネクションレス型データ送信に従事しているときに、ＵＥは、ＳＧＷがＵＥにサービスするＲＡＮノードに対してダウンリンク・トラフィックを送信することを可能にするために、セル変化についてネットワークに通知する（Ｇｂモードにおいて準備完了（Ｒｅａｄｙ）状態にあるＧＰＲＳ  ＭＳに類似している）。
８．  可能性のある代替案においては、ＲＡＮの中ですでに使用可能でない場合には、ＲＡＮは、Ｓ１−ＭＭＥ／Ｉｕ上の単一の要求／応答の交換を使用して、ＵＥとのコネクションレス型データ送信の開始時に、ＵＥ毎のセキュリティ証明書または／および他のパラメータ（例えば、ＵＥ無線能力）を、ＭＭＥ／ＳＧＳＮから取り出すことができる。
【００２２】
一実施形態においては、
アップリンク・データを送信するために、ＵＥは、ＳＧＷがＰＤＮ接続セットアップ・タイムにおいてＵＥに対して渡しているＰＤＮ接続ＩＤを有する必要があり、その結果、ＲＡＮノードは、アップリンク・トラフィックについての適切なＴＥＩＤと、適切なＳＧＷ  ＩＰアドレスとを選択することができる。このＰＤＮ接続ＩＤは、例えば、異なるＳＧＷが選択されるときに、モビリティ管理プロシージャに応じて、変化する可能性がある（この場合には、新しいＰＮ接続ＩＤは、ＭＭＥまたはＳＧＳＮを経由して新しいＳＧＷによってＵＥに対して中継される）。接続ＩＤは、したがって、それをＳＧＷアドレスと、アップリンクＴＥＩＤとに対してマッピングするＲＡＮノードの中で構成されるテーブルのインデックスである。
また、ＵＥ当たりのセキュリティ状態は、特定のトラッキング・エリアまたはトラッキング・エリアの組について有効なＰＤＮ接続当たりのセキュリティ状態によって置き換えられる。これは、データを送信する前に、ＥＮＢの中でセキュリティ・コンテキストを確立する必要がないことを意味する。
ＵＥが、ある種のＡＰＮについてＰＤＮ接続性（ＧＰＲＳにおけるＰＤＰコンテキスト、ＥＰＳにおけるＰＤＮ接続）をセットアップするときに、それは、コネクションレス型モードで取り扱われることを要求する可能性があり、これは、専用のベアラが可能でないこと、及び、すべてのデータが他の加入者のデータと同じトンネルを使用していることになることも意味している。
これは、ＲＮＣ、ｅＮＢ、ＳＧＷ、ＰＧＷが、ＵＥに対してユーザ・プレーンについてのＴＥＩＤを割り当ててはいないが、より正確に言えば、それらは、与えられたＰＤＮのコネクションレス型サポートのために、ＵＥをよく知られたＴＥＩＤに単に関連づけられていることを意味している。それはまた、任意のデータが送信され得る前に、今日使用される専用のベアラについての任意のサービス要求が、コネクションレス型ＰＤＮ接続性の状態を変更しないことになることも意味している（そのようにして、基本的に、サービス要求の概念は、それがそうであるべきであるように、コネクションレス型ＰＤＮ接続性に対して適用されず、またコネクションレス型モードと、接続指向のモードとは、ＵＥと、ネットワークとの観点から「ナイト・モードの中の船舶（ｓｈｉｐｓ）」の中で動作する）。
【００２３】
図３は、簡略化された方法で、ＥＰＳネットワークの中のそのようなコネクションレス型送信モードの一例を示すことを意図している。
【００２４】
図３は、２つのＰＤＮのコネクションレス型サポートのためのＧＴＰ共用トンネルを示すものである（例えば、ＧＴＰ−Ｕ  ＴＥＩＤ  １は、例えば、ＰＤＮ  １とＴＥＩＤ  ２とに対して静的にすべてのネットワークにおいて割り当てられて、ＰＤＮ  ２をサポートする可能性がある）。
【００２５】
異なるＰＤＮは、静的に割り付けられたＴＥＩＤの異なるツリーを割り付けることにより、サポートされることもある。
【００２６】
簡単のために、ＰＧＷにおいて終端されるＰＤＮ接続性についてのＴＥＩＤは、同じネットワークの幅があるものとすべきであるが、問題解決手法は、ノードが、マッピングを行うことができる限り、異なるＴＥＩＤとともに機能することもできる。
【００２７】
また、１つのＰＤＮは、複数のＰＤＮ  ＧＷによってサービスされることもあり、この場合には、追加の配信ツリーが、ＰＤＮに関連づけられる可能性がある。
【００２８】
複数のＰＤＮは、必要とされるすべてのものが、ＤＬとＵＬとの両方を転送するパケットについての正しい配信ツリーの選択であるように、同時にサポートされることもある。
【００２９】
一実施形態においては、ＳＧＷと、ＲＡＮとの間のＴＥＩＤだけは、静的であるが、ＳＧＷと、ＰＧＷとの間のＴＥＩＤは、ＵＥごとの細分性を有する今日のシステムにおいて、同様に取り扱われる。
【００３０】
一実施形態においては、ＵＥは、ＳＧＷ  ＩＤを提供されることもあり、またＴＥＩＤは、ＳＧＷごとに固有のＵＬの中で使用されるべきである。
【００３１】
一実施形態においては、
与えられたＰＤＮについてのデータは、特定のエリアについて（例えば、トラッキング・エリア／ルーティング・エリア、またはトラッキング・エリア／ルーティング・エリアの組について）有効なＰＤＮ特有のセキュリティ・キーを使用して、セキュリティ保護される。ＵＥは、ＰＤＮ接続セットアップにおいてセキュリティ・データを提供され、またそれは、モビリティ管理プロシージャ中に保持されることが仮定される。セキュリティ・データは、接続ＩＤのように、ｅＮＢの中で提供される。
【００３２】
図９は、簡略的に、そのような実施形態による、ＥＰＳネットワークの中の、コネクションレス型送信モードにおいてＰＤＮ接続についてのセットアップを行うためのプロシージャの一例を示すことを意図している。
【００３３】
図１０は、簡略的に、そのような実施形態による、ＥＰＳネットワークの中の、コネクションレス型送信モードにおいてＰＤＮ接続についてのトラッキング／ルーティング・エリアの更新のためのプロシージャの一例を示すことを意図している。
【００３４】
プロシージャ
ＰＤＮ接続の確立
一実施形態においては、
ＵＥが、ある種のＡＰＮについてのＰＤＮ接続性をセットアップするときに、専用のベアラが可能にならないことを意味するコネクションレス型モードで、または接続指向のモード（すなわち、既存のプロシージャ）で動作すべきかどうかが、決定される。
コネクションレス型モード・オペレーションでは、ＵＥによって送信されるＰＤＮおよびＳＧＷに関連したパケットに対する参照は、接続セットアップにおいてＮＡＳ信号を経由してＵＥに対してセキュリティ保護されて提供され、またあらゆるときに、ＳＧＷの選択または再配置が実行される。
【００３５】
トラッキング・エリア更新／ルーティング・エリア更新
一実施形態においては、
ＴＡＵ／ＲＡＵプロシージャ中に、ＵＥは、任意のコネクションレス型ＰＤＮの存在を宣言し、また結果として、セキュリティ・データは、ＴＡＩ／ＲＡＩが変化しているという理由、または既存のデータが、まさに満了しようとしているという理由のいずれかによって更新される可能性がある。またそのプロシージャの結果として、ＳＧＷが再配置される場合、新しい接続ＩＤがＵＥに対して渡される。
【００３６】
アップリンク・トラフィック・ハンドリング
一実施形態においては、
コネクションレス型モードにおけるアップリンク・トラフィックでは、ＵＥは、それがＰＤＮ接続セットアップ中に（または最後のトラッキング／ルーティング・エリアの更新・プロシージャ中に）受信した接続ＩＤをＲＡＮに対して渡す。この接続ＩＤは、ｅＮＢ／ＲＮＣにおいてＵＬトラフィックを送信するために使用されるべきＳＧＷとＴＥＩＤとを暗黙のうちに識別する。維持されたＵＬパケット・データ送信が行われる場合に、ＲＡＮは、節約してＵＬの中でこの情報を送信するように最適化されるべきである。
ＳＧＷの中のＵＥ／ベアラ・コンテキスト情報は、Ｓ１−Ｕ／Ｉｕアップリンク・パケットの中で使用されるＴＥＩＤを、Ｓ５／Ｓ８ベアラに関連づける。
コネクションレス型モードＰＤＮ接続のためのアップリンク・パケットは、ＵＥと、ＳＧＷとにおいて保持されるコネクションレス型アイドル・タイマをリセットする。タイマは動作している一方で、ＵＥは、ＲＡＮに対してセルの更新を知らせ、また新しいＲＡＮノードに対するセル変更のために、新しいＲＡＮノードは、ＳＧＷにおいてＵＥを突き止めるために必要な情報（例えば、ＲＡＮノードＩＰアドレス）を含む情報を（例えば、ダミー・アップリンクＧＴＰ−Ｕパケット形式の下で）伝搬させる。ＳＧＷにおけるタイマの使用は、「ＤＬトラフィック・ハンドリング」において説明されることになる。
【００３７】
一実施形態においては、
コネクションレス型モードにおけるアップリンク・トラフィックのハンドリングでは、我々は、ＵＥがＲＡＮに対してＰＤＮとＳＷとに対する参照を渡すことを必要としており、ＵＥによって送信されるパケットは送信される必要があり、我々はこれを接続ＩＤと名付けている。コネクションレス型モードは、例えば、コネクションレス型モードで動作するすべてのＰＤＮ接続によって共用されるＵＥ当たりに単一のＵＬ無線チャネル、または各ＰＤＮについてそれぞれ別個のＵＬ論理無線チャネルを使用することができる。この接続ＩＤは、このチャネル・リンク・レイヤにおいて、ＥＮＢ／ＲＮＣにおけるＰＤＮについてのＵＬトラフィックを送信するために使用されるべきＳＧＷとＴＥＩＤとを暗黙のうちに識別する。
接続ＩＤは、接続セットアップにおいて、ＳＧＷの選択または再配置が実行されるあらゆるときに、ＮＡＳ信号を経由してＵＥに対してセキュリティ保護されて提供され、そのようにして正しいＳＧＷが選択される。同様にして、ＳＧＷにおける状態は、ＵＬパケットの中で使用されるＴＥＩＤをＵＬ  ＴＥＩＤ（例えば、図３に示されるように、我々が、同じＴＥＩＤが単一のＰＤＮ、この場合には、ＰＤＮ  １についてネットワーク全体で使用されることを仮定する場合に、ＴＥＩＤ  １）と、ＵＥ  ＰＤＮ接続を取り扱うＰＧＷのアドレスとに関連づける。基本的に、ひとたびｅＮＢが接続ＩＤを経由してＳＧＷとＴＥＩＤとを選択した後に、それは、パケットを正しいＰＧＷとＰＤＮとにルーティングする固有の配信ツリーを選択する。コネクションレス型ＰＤＮのためのＵＬパケットは、ＵＥ、ｅＮＢおよびＳＧＷにおいて保持されるコネクションレス型アイドル・タイマをリセットし、そのようにして、ｅＮＢ情報が暫定的ではなく、またページング・プロシージャが呼び出されないことが仮定される。また、ＵＥが新しいセルに入っており、またアイドル・タイマが満了しておらず、またＵＥが、送信すべきＵＬデータを持たない場合に、それは、ダミーＵＬ無線フレームを送信することになり、次いで、ＥＮＢは、それをＳＧＷにおいてＵＥを突き止めるために必要な情報（例えば、ＩＰアドレスまたはＵＥ  ＩＤ）を含むダミーのＵＬ  ＧＴＰ  ＰＤＵに変換する。
ＲＡＮが、ＵＬトラフィックを送信するときに、それは、ＵＥにサービスするセルＩＤを示す拡張ヘッダをＧＴＰヘッダに対して付け加えることができ、その結果、ＳＧＷは、コアの中のロケーション情報を取り出す目的のために、この情報を獲得することができるようになる。ＵＥについてのアイドル・タイマが、ＲＡＮノードにおいて開始されるときに、これは、常に、ＵＥのためのＳＧＷに対してＲＡＮノードによって送信される第１のＵＬ  ＰＤＵの中に含まれる。
【００３８】
図４は、簡略的に、そのような実施形態による、ＥＰＳネットワークの中でコネクションレス型送信モードにおいて転送するアップリンク・パケットの一例を示すことを意図している。
【００３９】
ダウンリンク・トラフィック・ハンドリング
一実施形態においては、
モビリティに起因して、ｅＮＢまたはＲＮＣがアクティブ状態に変化するときに、ＳＧＷは、上記で説明されるように、ＵＬパケットの中で送信される情報を使用して、新しいＲＡＮノードのＩＰアドレスを学習する。すなわち、ＳＧＷは、ＵＥコンテキストにおいて、ＵＥに現在サービス提供しているＲＡＮノードのアドレスを記録する。
コネクションレス型モードＰＤＮ接続についてのＤＬパケットを受信したとき、ＵＥが、ＳＧＷによってアクティブであると考えられる（すなわち、アイドル・タイマが満了していない）場合、ＳＧＷは、ＵＥにサービス提供しているＲＡＮノードに対してＤＬパケットを送信する。そうでない場合に、ＵＥがＳＧＷによってアイドルであると考えられる（すなわち、アイドル・タイマが満了している）とき、ＳＧＷは、以下のいずれかとすることができる。すなわち、
・ネットワークによってトリガされたサービス要求プロシージャを呼び出すことができ、すなわち、ページング・メッセージは、「コネクションレス型」表示を含み、ＵＥは、ＲＡＮアドレスを用いてＳＧＷを更新するセル更新を送信することにより、それに応答する。コネクションレス型ページングは、ＵＥのすべてのベアラのアクティブ化させず、コただネクションレス型ベアラだけをアクティブ化させる。
・別のオプションとして、加入またはＵＥの振る舞いの学習に基づいた最適化は、多くの場合に固定されたＵＥについて適用される可能性があり、すなわち、ＵＥが、アイドル状態に入るときに、ＳＧＷは、ＤＬ転送情報を「暫定的」としてマーク付けする。ＤＬパケットが受信されるときに、そのパケットは、ｅＮＢ／ＲＮＣにかかわらず転送され、接続ＩＤ及びＵＥ識別情報は、拡張ヘッダとしてＧＴＰ−Ｕパケットに対して追加される。ｅＮＢ／ＲＮＣが、パケットをＵＥに対して配信することができない場合には、それは、上記で説明されるようにＭＭＥ／ＳＧＳＮを経由してＵＥにページングするようにＳＧＷに要求するべきであり、またこの要求においては、受信されるデータを転送することができる。
【００４０】
一実施形態においては、
ＰＤＮ接続が、コネクションレス型モードで生成されるときに、ＳＧＷは、まさにＰＤＮ接続のために選択されるＰＧＷに対してＧＴＰ−Ｃにおいてそれ自体のアドレスを渡す必要がある。例えば、図３に示されるように、コネクションレス型ＰＤＮ接続は、ＡＰＮ  １のためのものであると言う。ＰＧＷは、ＡＰＮ  １に関連するＰＤＮ  １にサービスするために、修正ベアラ要求がこれを別のＳＧＷに変更することになるまで、または削除ＰＤＮ接続要求がＰＤＮ接続を切断させることになるまで、特定のＵＥについてのＴＥＩＤ  １上でこのＳＧＷに対してパケットを送信する必要があることになることを知っている。基本的に、コネクションレス型ＰＤＮ接続がアクティブである限り、正しいＳＧＷを指し示すＵＥについてのホスト・ルートが常に使用可能であり、ＤＬトラフィックについての次のホップとして、ＳＧＷ  ＩＰアドレスと、ＴＥＩＤ  １とを示している。
同様に、ＲＮＣとｅＮＢとは、例えば図３に示されるように、ＴＥＩＤ  １が、ＰＤＮ  １のために使用されることになるので、例えば、ＡＰＮ  １に関連するＰＤＮ  １についてそれらに対してダウンリンク・データを送信することができるように、ＳＧＷについてのそれら自体のアドレスをただ通知する必要がある。モビリティに起因して、ｅＮＢとＲＮＣとがアクティブ状態に変化するときに、ＳＧＷは、新しいＲＮＣとｅＮＢとについてのＩＰアドレス及びどこにＵＥが存するかをただ知る必要があることになり、またこれは、再配置（ＴＡＵ／ＲＡＵによってトリガされる）のための今日のプロシージャ、または上記で説明されるＵＬパケットの中で送信される情報を使用して行われるべきである。しかしながら、ＵＥが、アイドル状態から抜け出す（即ち、ＨＯプロシージャ中または再配置プロシージャ中ではない）ときに、正しいＲＮＣまたはｅＮＢの学習を可能にする問題が存在する。これが、ＵＬトラフィックに起因して起こる場合、ＳＧＷは、ＵＥが現在のテーブルの中のものとは異なるＲＮＣまたはｅＮＢからＵＬトラフィックを送信するときに、そのルーティング・テーブルにＵＥに対するホスト・ルートにおける変化を記録する必要がある。基本的には、ＳＧＷの中のルーティング・テーブルは、ＲＮＣまたはｅＮＢからＧＴＰ−Ｕパケットのソース・アドレスを学習することにより、更新される。ＵＥが、ページングに起因してアイドル状態を抜け出す場合には、ページングに関する記載を参照されたい。
ＵＥが、ＳＧＷによってアイドル状態であると考えられる場合には、通常のページングが、使用され、次いで、コネクションレス型モードにあるＵＥは、ＭＭＥ／ＳＧＳＮがＳＧＷにおいて次のホップ情報をインストールするようにさせ、またパケットがＵＥに対して配信されるようにさせるページング要求に対して、成功裏に応答することになる。ページング・メッセージにおいては、ＤＬパケットが、コネクションレス型ＰＤＮのためのものであった場合、ＭＭＥ／ＳＧＳＮは、ページングに関連した接続ＩＤを含むべきであり、その結果、ｅＮＢ／ＲＮＣは、第１のＵＬパケットが受信されるときに、適切なマッピングをキャッシュすることができるようになり、またＵＥは、ページングがどのコネクションレス型ＰＤＮのためのものであるかを知っている。コネクションレス型ＰＤＮページングは、ＵＥの中のすべてのベアラをアクティブ化させず、ただコネクションレス型ベアラだけをアクティブ化させる。
別のオプションとして、加入またはＵＥの振る舞いの学習に基づいた最適化は、多くの場合に固定されたＵＥの場合に適用される可能性があり、すなわち、ＵＥがアイドル状態に入るときに、ＳＧＷは、ＤＬ転送情報を「暫定的」としてマーク付けする。ＤＬパケットが受信されるときに、パケットは、ｅＮＢ／ＲＮＣに対して転送され、また接続ＩＤ及びＵＥ識別情報は、ＧＴＰ−Ｕパケットに対して拡張ヘッダとして追加される。ｅＮＢ／ＲＮＣがパケットをＵＥに対して配信することができない場合には、それが通常のページング・プロシージャの一部分として使用されるように、正しいｅＮＢ／ＲＮＣアドレスを用いて更新されるときに、それは、より広いエリア上でＭＭＥ／ＳＧＳＮを経由してＵＥにページングし、またこの要求に対してＵＥに転送されるべきパケットをピギーバックするようにＳＧＷに要求すべきである。このステージにおいては、通常のページングが使用される。
【００４１】
ｅＮＢまたはＲＮＣにおける第１のＤＬパケットの後に受信されるすべてのパケットは、最適化されたプロシージャが続いている場合には、第１のパケットが成功裏に配信されるまで、切り捨てられることもある。最適化されたプロシージャがサポートされるときに、ＤＬ転送情報は、第１のＵＬパケットがｅＮＢ／ＲＮＣから受信され、またはＭＭＥ／ＳＧＳＮが成功した通常のページングを実行した後だけに（ＲＮＣ／ｅＮＢが、最適化されたページングが失敗する場合にこれを要求する場合に）、「有効」としてマーク付けされる。同時に、アイドル・タイマが開始され、これは、そのアイドル・タイマが経過するときに、ＳＧＷ情報がこの場合にも暫定的としてマーク付けされるようにさせる。
【００４２】
図５は、簡略的に、そのような実施形態による、ＥＰＳネットワークの中でコネクションレス型送信モードにおいて転送するダウンリンク・パケットの一例を示すことを意図している。
【００４３】
図６は、簡略的に、そのような実施形態による、ＥＰＳネットワークの中のコネクションレス型送信モードにおける最適化されていないページング・プロシージャの一例を示すことを意図している。
【００４４】
図７は、簡略的に、そのような実施形態による、ＥＰＳネットワークの中のコネクションレス型送信モードにおける最適化されたページング・プロシージャの一例を示すことを意図している。
【００４５】
図８は、簡略的に、そのような実施形態による、ＥＰＳネットワークの中のコネクションレス型送信モードにおける最適化されたページングに失敗した場合のプロシージャの一例を示すことを意図している。
【００４６】
一態様においては、パケット・モバイル・ネットワークにおけるデータ送信をサポートするための方法が、ユーザ機器ＵＥと、外部パケット・データ・ネットワークＰＤＮとの間の前記パケット・モバイル・ネットワーク上のＰＤＮ接続性のために、提供されている。
【００４７】
一実施形態においては、前記パケット・モバイル・ネットワークは、無線アクセス・ネットワークＲＡＮによってアクセスされるコア・ネットワークＣＮを備えており、また前記データ送信は、サービングＲＡＮノードとサービング・ユーザ・プレーンＣＮノードとの間のインターフェース上のトンネルを使用しており、前記方法は、コネクションレス型送信モードと称されるモードにおける前記データ送信のサポートを含んでおり、そこでは、前記インターフェース上の前記トンネルは、接続ＩＤ情報と称される情報を使用してあらかじめ定義および識別され、前記ＰＤＮに対して、および前記サービング・ユーザ・プレーンＣＮノードに対して参照を提供する。
【００４８】
一実施形態においては、前記接続ＩＤ情報は、前記サービングＲＡＮノードが前記ユーザ・プレーンＣＮノードとの余分な先行するシグナリング・インタラクションの必要なしに、前記サービング・ユーザ・プレーンＣＮノードのＩＰアドレス情報と、アップリンク・トンネル・エンドポイント識別子ＴＥＩＤ情報とを導き出すことを可能にする。
【００４９】
一実施形態においては、前記方法は、ＰＤＮ接続性のセットアップにおいて、前記ＰＤＮ接続性のために、前記コネクションレス型送信モードで動作すべきかどうかを決定するステップを含んでいる。
【００５０】
一実施形態においては、前記方法は、コネクションレス型送信モードにおけるＰＤＮ接続性の確立において、または前記ＰＤＮ接続性についてのトラッキング・エリア更新／ルーティング・エリア更新において、ＵＥに対してＮＡＳ信号を経由して前記接続ＩＤ情報を提供するステップを含んでいる。
【００５１】
一実施形態においては、前記方法は、コネクションレス型送信モードにおけるＰＤＮ接続性の確立において、または前記ＰＤＮ接続性についてのトラッキング・エリア更新／ルーティング・エリア更新において、特定のトラッキング／ルーティング・エリア、またはトラッキング／ルーティング・エリアの組について有効なセキュリティ・データをＵＥに提供するステップを含んでいる。
【００５２】
一実施形態においては、前記コネクションレス型送信モードにおいて、セキュリティ・データは、サービングＲＡＮノードにおいて提供される。
【００５３】
一実施形態においては、前記方法は、前記コネクションレス型送信モードにおいて、ＵＥが前記接続ＩＤ情報を用いて前記サービングＲＡＮノードに対してアップリンク・パケットを送信するステップを含んでいる。
【００５４】
一実施形態においては、前記方法は、前記コネクションレス型送信モードにおいて、前記接続ＩＤ情報を有するアップリンク・パケットを受信したとき、前記サービングＲＡＮノードがアップリンク・トラフィックについての適切なトンネル・エンドポイント識別子ＴＥＩＤ情報と、前記サービング・ユーザ・プレーンＣＮノードの適切なＩＰアドレス情報とを選択するステップを含んでいる。
【００５５】
一実施形態においては、前記方法は、前記コネクションレス型送信モードにおいて、アクティブなコネクションレス型データ送信に従事するときに、前記ＵＥが、セル変更についてパケット・モバイル・ネットワークに通知するステップを含んでいる。
【００５６】
一実施形態においては、前記方法は、前記コネクションレス型送信モードにおいて、ＵＥがコネクションレス型アイドル・タイマを保持するステップを含んでおり、前記アイドル・タイマは、アップリンク・パケットの送信によってリセットされる。
【００５７】
一実施形態においては、前記方法は、前記コネクションレス型送信モードにおいて、ＵＥにおいて保持されるコネクションレス型アイドル・タイマが実行している間に、ＵＥが、パケット・モバイル・ネットワークに対してセルの更新をシグナリングするステップを含んでいる。
【００５８】
一実施形態においては、前記方法は、前記コネクションレス型送信モードにおいて、ＵＥについてのセル変更情報を受信したとき、新しいサービングＲＡＮノードが、ＵＥを突き止めるために必要な情報を含む前記セル変更情報を、前記サービング・ユーザ・プレーンＣＮノードに対して伝搬させるステップを含んでいる。
【００５９】
一実施形態においては、前記方法は、前記コネクションレス型送信モードにおいて、前記サービング・ユーザ・プレーンＣＮノードが、ＵＥコンテキストにおいて、ＵＥに現在サービス提供しているサービングＲＡＮノードのアドレス情報を記録するステップを含んでいる。
【００６０】
一実施形態においては、前記方法は、前記コネクションレス型送信モードにおいて、前記サービング・ユーザ・プレーンＣＮノードがコネクションレス型アイドル・タイマを保持するステップを含んでおり、前記アイドル・タイマは、アップリンク・パケットの受信によってリセットされる。
【００６１】
一実施形態においては、前記方法は、前記コネクションレス型送信モードにおいて、ダウンリンク・パケットを受信したとき、前記サービング・ユーザ・プレーンＣＮノードにおいて保持されるコネクションレス型アイドル・タイマが満了していない場合に、前記サービング・ユーザ・プレーンＣＮノードが、前記ＵＥに現在サービス提供している前記サービングＲＡＮノードに対して前記ダウンリンク・パケットを送信するステップを含んでいる。
【００６２】
一実施形態においては、前記方法は、前記コネクションレス型送信モードにおいて、ダウンリンク・パケットを受信したとき、前記サービング・ユーザ・プレーンＣＮノードにおいて保持されるコネクションレス型アイドル・タイマが満了している場合に、サービング・ユーザ・プレーンＣＮノードが、ページング・メッセージの中のＵＥについてのコネクションレス型表示を含めて、コネクションレス型ページング・プロシージャを呼び出すステップを含んでいる。
【００６３】
一実施形態においては、前記方法は、前記コネクションレス型送信モードにおいて、コネクションレス型ページング・プロシージャを受信したとき、ＵＥは、前記接続ＩＤ情報を用いて、パケット・モバイル・ネットワークに対してセル更新を信号で伝えるステップを含んでいる。
【００６４】
一実施形態においては、前記方法は、前記コネクションレス型送信モードにおいて、ダウンリンク・パケットを受信したとき、前記ユーザ・プレーンＣＮサービング・ノードにおいて保持されるコネクションレス型アイドル・タイマが満了している場合に、サービング・ユーザ・プレーンＣＮノードが、前記接続ＩＤ情報と、ＵＥ識別情報とを用いて、そのＵＥコンテキストの中に記録されるＲＡＮノードに対してダウンリンク・パケットを転送するステップを含んでいる。
【００６５】
一実施形態においては、前記方法は、前記コネクションレス型送信モードにおいて、接続ＩＤ情報と、ＵＥ識別情報とを含むダウンリンク・パケットを受信したとき、ＲＡＮノードがパケットを配信することができない場合に、ＲＡＮノードが、サービング制御プレーンＣＮノードを経由してＵＥにページングするようにサービング・ユーザ・プレーンＣＮノードに要求するステップを含んでいる。
【００６６】
一実施形態においては、前記コネクションレス型送信モードにおいて、ＵＥと、サービングＲＡＮノードとの間の無線インターフェース上の論理的トラフィック・チャネルが、前記ＰＤＮ接続性のためにあらかじめ定義される。
【００６７】
一実施形態においては、前記データ送信は、前記サービング・ユーザ・プレーンＣＮノードと、前記ＰＤＮとインターフェースするサービングＣＮノードとの間の第２のインターフェースと称されるインターフェース上のトンネルを使用しており、また前記サービング・ユーザ・プレーンＣＮノードの中のＵＥ／ベアラ・コンテキスト情報は、第１のインターフェースと称される、前記サービングＲＡＮノードを有する前記インターフェース上でアップリンク・パケットを送信するために使用されるトンネル・エンドポイント識別子ＴＥＩＤを前記第２のインターフェース上のベアラに関連づける。
【００６８】
一実施形態においては、前記データ送信は、前記ＵＥと、前記パケット・モバイル・ネットワークとの間の無線インターフェース上の論理的トラフィック・チャネルを使用しており、前記方法は、コネクションレス型送信モードと称されるモードにおける前記データ送信のサポートを含んでおり、そこでは、前記論理的トラフィック・チャネルは、前記ＰＤＮ接続性についてあらかじめ定義される。
【００６９】
他の態様においては、そのような方法（単数または複数）の関連したステップ（単数または複数）を実行するように構成されたエンティティが、提供されており、前記エンティティは、とりわけ（排他的ではないが）、ユーザ機器ＵＥと、ＲＡＮノード（Ｅ−ＵＴＲＡＮについてのｅノードＢやＵＴＲＡＮについてのＲＮＣなど）、ＲＡＮノードとインターフェースするユーザ・プレーンＣＮノード（ＥＰＣについてのＳＧＷやＧＰＲＳ／ＵＭＴＳ  ＣＮについてのＳＧＳＮなど）、ＲＡＮノードとインターフェースする制御プレーンＣＮノード（ＥＰＣについてのＭＭＥやＵＭＴＳ  ＣＮについてのＳＧＳＮなど）、ＰＤＮとインターフェースするＣＮノード（ＥＰＣについてのＰＧＷやＧＰＲＳ／ＵＭＴＳ  ＣＮについてのＧＧＳＮなど）などのモバイル・ネットワーク・エンティティとを含んでいる。
【００７０】
当業者なら、様々な上記で説明された方法のステップが、プログラムされたコンピュータによって実行され得ることを簡単に理解するであろう。本明細書においては、いくつかの実施形態はまた、プログラム・ストレージ・デバイス、例えば、デジタル・データ・ストレージ媒体を対象として含むことも意図しており、これらのプログラム・ストレージ・デバイスは、マシン読取り可能、またはコンピュータ読取り可能であり、また命令のマシン実行可能なプログラム、またはコンピュータ実行可能なプログラムを符号化し、そこでは前記命令は、前記の上記で説明された方法のステップのうちの一部または全部を実行する。プログラム・ストレージ・デバイスは、例えば、デジタル・メモリ、磁気ディスクや磁気テープなどの磁気ストレージ媒体、ハード・ドライブ、または光学的に読取り可能なデジタル・データ・ストレージ媒体とすることができる。それらの実施形態はまた、上記で説明された方法の前記ステップを実行するようにプログラムされるコンピュータを対象として含むことも意図している。
【図１】
2015526960.tif 000003
【図２】
2015526960.tif 000004
【図３】
2015526960.tif 000005
【図４】
2015526960.tif 000006
【図５】
2015526960.tif 000007
【図６】
2015526960.tif 000008
【図７】
2015526960.tif 000009
【図８】
2015526960.tif 000010
【図９】
2015526960.tif 000011
【図１０】
2015526960.tif 000012
【国際調査報告】
2015526960.tif 000013
2015526960.tif 000014
2015526960.tif 000015